(57)【要約】      （修正有）【課題】排泄物の処理を素早くワンタッチで容易に行うことができる使い捨て人工肛門装具を提供する。【解決手段】腹部装着体１は、柔軟性合成樹脂で形成された円形プレートの表面側に、その中央部位に開口した人工肛門挿入口３を囲繞する短尺状の中空筒部４と、中空筒部４の外方位置には、人体Ｘへの固定に使用するベルト装着片５、５が硬質性合成樹脂で中空筒部４の外周を囲繞した状態で一体形成され、かつ腹部装着体１の裏面側全面には、接着性および剥離性を有する貼着剤６がコーティングされていると共に、排泄物収納袋７はビニール等の柔軟性合成樹脂で形成され、その開口部を、中空筒部４の外周面に一体的に固着した。【選択図】図１
0003109779.tif 000002
【実用新案登録請求の範囲】
【請求項１】
人工肛門造設者の腹部に装着される腹部装着体と、人工肛門から排泄される排泄物を収納する排泄物収納袋とからなる人工肛門装具において、上記腹部装着体は、柔軟性合成樹脂で形成された円形プレートの表面側に、その中央部位に開口した人工肛門挿入口を囲繞する短尺状の中空筒部と、当該中空筒部の外方位置には、人体への固定に使用するベルト装着片が硬質性合成樹脂で中空筒部の外周を囲繞した状態で一体形成され、かつ上記腹部装着体の裏面側全面には、接着性および剥離性を有する貼着剤がコーティングされていると共に、排泄物収納袋はビニール等の柔軟性合成樹脂で形成され、その開口部は、上記中空筒部の外周面に一体的に固着されていることを特徴とする使い捨て人工肛門装具。
【考案の詳細な説明】
【技術分野】
【０００１】
本考案は、人工肛門装具に係り、詳しくは、大腸癌の手術により、横行結腸、下行結腸またはＳ状結腸などが切除され、そのために余儀なく腹部に人工肛門を造設された人々が、排泄の管理に使用する人工肛門装具に関するものである。
【背景技術】
【０００２】
従来、人工肛門装具は、オストメイト（人工肛門の保有者）の腹部に造設された人工肛門に装着される腹部装着体に、排泄物収納袋を着脱自在に装着するように構成されており、この種の人工肛門装具については、以下に示す種々のものが開発され提案されている。
【特許文献１】実開昭５８−８０２１８号公報
【特許文献２】特開平５−１４７号公報
【０００３】
上記特許文献１には、柔軟性を有する合成樹脂でプレート状の腹部装着体を形成し、その中央部に人工肛門の挿入口を設けると共に、腹部装着体の表面側にリング状の装着用溝部を突出形成し、該溝部にポリエチレン、ビニール等からなる排泄物収納袋を係脱自在に係止するものが提案されている。
【０００４】
しかし、上記のような人工肛門装具は、使用中排泄物で腹部装着体の挿入口周面が排泄物で汚れるので、排泄物収納袋を取り替える際、その都度洗浄する必要がある上、特に造設された人工肛門が横行結腸人工肛門の場合には、排泄される排泄物の性状が流動状を呈しているので、排泄物収納袋を取り替える頻度が高くなり、排泄の管理が面倒で容易にできないという不具合があった。
【０００５】
また、特許文献２には、中央部に排泄物収納袋の開口部と人工肛門を挿入する貫通孔を設け、外周部に排泄物収納袋の開口端を係脱自在に係止する係止部を形成してなるリング状腹部圧接体で腹部装着体を構成し、装着時には貫通孔に挿入した排泄物収納袋の開口端を腹部圧接体に沿って外側に折返し、係止部に係止してから腹部装着体を使用者の腹部に装着するものが提案されている。
【０００６】
ところが、この人工肛門装具では、装着した際、腹部装着体としての腹部圧接体と貫通孔の内面が、外側に折り返された排泄物収納袋の開口側で覆われるので、腹部装着体が排泄物で汚れることがないと共に、取り替える際は腹部装着体を手で外側へ軽く引くことによって、腹部との圧接が解除されて隙間ができるので、排泄物収納袋を容易に引き抜いて取り外すことができる利点があるが、腹部装着体を腹部に装着したままの状態で、新しい排泄物収納袋を係止する場合は、貫通孔に挿入した排泄物収納袋の開口端を更に腹部圧接体に沿って外側へ折り返さなければ係止部に係止できないという不便があり、排泄の管理が面倒になるという不具合がある。
【０００７】
上述した各特許文献１、２に開示されたものは、いずれも「腹部装着体に対して排泄物収納袋を交換する」という共通の基本構成に起因するものであるが、この場合、排泄物収納袋はトイレットペーパーに比して高価であるため、経済的な弱者であるオスメイトは使用した収納袋を洗濯して再使用しているのが実情であり、しかも一度排泄物で汚染された収納袋は洗濯しても異臭が消えないうえ、使用中収納袋が係止部から外れたり、ずれたりして蓄積された排泄物の異臭が開口端から漏れて周囲に漂わせ、不快感を与える不具合があった。この事実は、オストメイトの立場にしてみれば、家庭や職場など多くの他者と居場所を共にする毎日の生活の中で切実な問題であった。そして、この排泄物収納袋の交換と洗濯を、オストメイトとして一生継続して行なわなければならない、という現状は、健常者の感覚では計り知れない苦痛をオスメイト自身に強いることを意味するものであった。
【考案の開示】
【考案が解決しようとする課題】
【０００８】
本考案は、上記のような実状に鑑み、従来の不具合を解消すべく、「腹部装着体に対して排泄物収納袋を交換する」のではなく、「袋状の排泄物収納袋を予め一体に備えた腹部装着体をまるごと交換する」という逆転の発想に基づくオストメイト自身の立場から創案されたものであって、その意図するところは、排泄物の処理を素早くワンタッチで容易に行うことができると共に、異臭の発生・拡散を可及的最小限に留めることができ、もって排泄の管理が容易にできるものでありながら、装着時の快適性が得られて日常の活動が制限されず、また家庭や職場においても、家族や同僚などに不快感を与えることなく、健常者と同様に夢と希望を持って日々の生活や仕事に充実した人生を送ることができる人工肛門装具を提供することを課題とするものである。
【課題を解決するための手段】
【０００９】
上記課題を解決するため、本考案が採用した技術手段は、人工肛門造設者の腹部に装着される腹部装着体と、人工肛門から排泄される排泄物を収納する排泄物収納袋とからなる人工肛門装具において、上記腹部装着体は、柔軟性合成樹脂で形成された円形プレートの表面側に、その中央部位に開口した人工肛門挿入口を囲繞する短尺状の中空筒部と、当該中空筒部の外方位置には、人体への固定に使用するベルト装着片が硬質性合成樹脂で中空筒部の外周を囲繞した状態で一体形成され、かつ上記腹部装着体の裏面側全面には、接着性および剥離性を有する貼着剤がコーティングされていると共に、排泄物収納袋はビニール等の柔軟性合成樹脂で形成され、その開口部は、上記中空筒部の外周面に一体的に固着されていることを特徴とするものである。
【考案の効果】
【００１０】
したがって本考案によれば、腹部装着体と排泄物収納袋が一体的に構成されているので、排泄物の処理を素早くワンタッチで容易に行うことができ、しかも交換時に、排泄物の異臭の発生・拡散を最小限に留めることができると共に、排泄物の処理を行う毎に新規な腹部装着体にまるごと交換するので、常に清潔な衛生状態を保持することができ、肌荒れなどの皮膚の障害も予防することができる。
【００１１】
また、人体への装着時には、腹部装着体のプレートが柔軟性を有する合成樹脂で形成されているので、違和感がなくソフトタッチで装着ができるばかりでなく、排泄物収納袋は硬質性合成樹脂で囲繞された中空筒部の外周に固着されているので、従来のように、腹部装着体への排泄物収納袋の取付け不全で生じる使用中の排泄物の漏れが皆無となり、家庭や職場においても、家族や同僚などに不快感を与えることなく、健常者と同様に夢と希望を持って日々の生活や仕事に充実した人生を送ることができる。
【考案を実施するための最良の形態】
【００１２】
裏面側全面に接着性および剥離性を有する貼着剤をコーティングした腹部装着体の表面側に、その中央部位に開口した人工肛門挿入口を囲繞する短尺状の中空筒部と、当該中空筒部の外方に位置して人体への固定に使用するベルト装着片を一体形成し、更に、上記中空筒部の外周面に袋状の排泄物収納袋を包覆状に一体形成した。
【実施例１】
【００１３】
本考案の実施の形態を添付図面に基づいて詳細に説明する。   図１〜図２において、１は使用者の腹部に装着される腹部装着体であって、該腹部装着体１は柔軟性を有するプレート状の合成樹脂で円形に形成された装着体本体２の表面側に、その中央に位置して開口した人工肛門挿入口３を囲繞する短尺状の中空筒部４と、当該中空筒部４の外方位置には、人体Ｘへの固定に使用する係止孔５ａ、５ａを備えた一対のベルト装着片５、５が硬質性合成樹脂で中空筒部４の外周を囲繞した状態で一体形成されていると共に、上記装着体本体１の裏面側全面には、人体Ｘへの安全が確認されている接着性および剥離性を有する貼着剤６（実施例ではシリコンゴム系の接着剤）がコーティングされており、更に、上記中空筒部４の外周面には、排泄物収納袋７が包覆状に一体形成されて人工肛門装具Ａが構成されている。
【００１４】
ここで、上記腹部装着体１の人工肛門挿入口３は、図３に示すように、退院時に病院から渡された透明フィルム８ａに複数径の円を同心円状に記載したメジャーリングガイド８で計測して、使用者の人工肛門に適合するように使用者自身が設定するが、人工肛門は手術後１〜２ヶ月程度経過すると、永久的な大きさに落ち着くものであるものの、その後において体重や体型の変化に伴ってサイズや形が変わるため、上記人工肛門挿入口３の径もその都度計測して適合するように設定する。
【００１５】
また、上記排泄物収納袋７は、ビニールなどの合成樹脂で防臭性を有する円筒状の袋体に形成されており、その開口部７ａは、人工肛門挿入口３を囲繞する短尺状の中空筒部４の外周面に一体に固着されているため、従来のような排泄物収納袋を交換する手間を完全に省くことができる。
【００１６】
なお、本実施例では図示しないが、上記排泄物収納袋７を二重に覆う保護袋を腹部装着体１に一体または別体で取り付ける構成としてもよい。この場合、保護袋は排泄物収納袋７の底部から覆うように取り付けられ、当該排泄物収納袋７を外力から保護する目的で用いられるが、必ずしも常時使用しなければならないものではなく、必要に応じて使用すればよい。
【００１７】
次に、叙上のように構成された人工肛門装具Ａの使用方法について説明する。   先ず、人工肛門装具Ａの交換作業を行うに当たって、予め新規の腹部装着体１を用意し、その装着体本体２の裏面に貼着されている剥離シート（図示せず）を剥がして、裏面の貼着剤６を露出させておくと共に、図５に示すように、装着体本体２と同径の封鎖シール９も裏面の剥離シートを剥がして貼着面９ａを露出させておく。
【００１８】
次いで、使用者が腹部に現用している腹部装着体１を取り外し、すかさず装着体本体２の裏面にコーティングされた貼着剤６と、上記封鎖シール９を対向して貼り合わせれば、排泄物Ｙを収納した現用の腹部装着体１は完全に密閉状態に保持されることになる。このとき、装着体本体２の裏面の貼着剤６は、人体Ｘへの貼着で皮膚のケラチンが付着しているため、それ自体の貼着力は低下しているが、封鎖シール９側の貼着面９ａの貼着力が、これを補完することになり、強固な密閉封印状態を維持することができる。
【００１９】
然る後、先に裏面の貼着剤６を露出させておいた新規の腹部装着体１を当該人工肛門部位にあてがって腹部に貼着し、図示しないベルトの両端部をベルト装着片５、５に介して腹部に装着すれば、簡単かつ円滑に人工肛門装具Ａの交換取り付け作業を完了することができる。
【００２０】
したがって、人工肛門装具Ａの交換に要する時間を可及的に短縮することができ、排泄物の発する異臭の拡散も最小限に抑制し得て、オストメイトの精神的な負担を大幅に軽減して快適な日常生活を送ることが可能となる。なお、実験によれば、本考案の人工肛門装具Ａの交換に要する実時間は、初めて装着する使用者の場合でも１０秒以内、慣れてきた使用者の場合は５秒以内で交換を完了できることが知見された。
【図面の簡単な説明】
【００２１】
【図１】人工肛門装具の全体平面図
【図２】人工肛門装具の左側面図
【図３】メジャーリングガイドの平面図
【図４】人体への人工肛門装具の装着を示す作用説明図
【図５】（ａ）は封鎖シールの貼着を示す作用説明図、（ｂ）は同上貼着完了状態を示す作用説明図
【符号の説明】
【００２２】
１    腹部装着体 ３    挿入口 ４    中空筒部
５ａ  ベルト装着片 ６    貼着剤 ７    排泄物収納袋 ９    封鎖シール ９ａ  貼着面 Ａ    人工肛門装具 Ｘ    人体 Ｙ    排泄物 
【図１】
0003109779.tif 000003
【図２】
0003109779.tif 000004
【図３】
0003109779.tif 000005
【図４】
0003109779.tif 000006
【図５】
0003109779.tif 000007